(57)【特許請求の範囲】
【請求項１】
管理者からの操作指示を受付ける第１操作受付手段、及び、利用客からの操作指示を受付ける第２操作受付手段によって受付けられた操作指示に従って、前記操作指示に対応する処理を実行するカラオケ装置であって、
前記第２操作受付手段において受付けられた操作指示を表す操作履歴情報を取得する取得手段と、
前記取得手段により取得された操作履歴情報を、当該操作指示に関連する時刻を表す時刻情報と対応付けて所定の記憶手段に記録する履歴記録手段と、
前記第１操作受付手段において操作指示が受付けされていない期間である無操作期間を特定する期間特定手段と、
前記記憶手段に記憶されている操作履歴情報の中から、前記期間特定手段により特定された無操作期間に該当する時刻情報に対応付けられた操作履歴情報であって、当該操作履歴情報で表される操作指示に対応する処理が完了している操作履歴情報を特定する操作特定手段と、
前記操作特定手段によって特定された操作履歴情報で表される操作指示に関する情報を、所定の表示手段に表示させる表示制御手段と、
を備えることを特徴とするカラオケ装置。
【請求項２】
請求項１に記載のカラオケ装置において、
前記取得手段は、前記操作履歴情報に対応する操作者である利用客を識別する第１識別情報を更に取得し、
前記履歴記録手段は、前記第１識別情報を前記操作履歴情報と対応付けて前記記憶手段に記録し、
前記表示制御手段は、前記操作特定手段によって特定された操作履歴情報に対応する第１識別情報を、前記操作履歴情報で表される操作指示に関する情報と対応付けて、前記表示手段に表示させること、
を特徴とするカラオケ装置。
【請求項３】
請求項１又は請求項２に記載のカラオケ装置において、
前記取得手段は、前記操作履歴情報の提供元である前記第２操作受付手段を識別する第２識別情報を更に取得し、
前記履歴記録手段は、前記第２識別情報を前記操作履歴情報と対応付けて前記記憶手段に記録し、
前記表示制御手段は、前記操作特定手段によって特定された操作履歴情報対応する第２識別情報を、前記操作履歴情報で表される操作指示に関する情報と対応付けて、前記表示手段に表示させること、
を特徴とするカラオケ装置。
【請求項４】
請求項１ないし請求項３の何れか１項に記載のカラオケ装置において、
前記第１操作受付手段には、情報を表示する表示手段が備えられており、
前記表示制御手段は、前記第１操作受付手段に備えられた表示手段に、前記操作履歴情報で表される操作指示に関する情報を表示させること、
を特徴とするカラオケ装置。
【請求項５】
管理者からの操作指示を受付ける第１操作受付手段と、
利用客からの操作指示を受付ける第２操作受付手段と、
前記第１操作受付手段及び前記第２操作受付手段によって受付けられた操作指示に従って、前記操作指示に対応する処理を実行する実行手段と、
前記第２操作受付手段において受付けられた操作指示を表す操作履歴情報を取得する取得手段と、
前記取得手段により取得された操作履歴情報を、当該操作指示に関連する時刻を表す時刻情報と対応付けて所定の記憶手段に記録する履歴記録手段と、
前記第１操作受付手段において操作指示が受付けされていない期間である無操作期間を特定する期間特定手段と、
前記記憶手段に記憶されている操作履歴情報の中から、前記期間特定手段により特定された無操作期間に該当する時刻情報に対応付けられた操作履歴情報であって、当該操作履歴情報で表される操作指示に対応する処理が完了している操作履歴情報を特定する操作特定手段と、
前記操作特定手段によって特定された操作履歴情報で表される操作指示に関する情報を、所定の表示手段に表示させる表示制御手段と、
を備えることを特徴とするカラオケシステム。
【発明の詳細な説明】
【技術分野】
【０００１】
本発明は、複数の操作受付手段を介して操作が可能なカラオケ装置に関する。
【背景技術】
【０００２】
従来、カラオケの選曲等の操作に用いられるリモコン端末と、リモコン端末にて受付けられた操作に対応する機能を実行するカラオケ装置本体とを備えるカラオケシステムが知られている。また、カラオケ装置本体に、表示装置の表示面上で接触入力操作が可能なタッチパネルを備えるカラオケシステムが知られている（例えば、特許文献１参照）。この種のカラオケシステムでは、リモコン端末だけでなく、カラオケ装置本体に備えられたタッチパネルからも、各種操作を行うことができるようになっているものがある。
【先行技術文献】
【特許文献】
【０００３】
【特許文献１】特開２０１３−７３２１９号公報
【発明の概要】
【発明が解決しようとする課題】
【０００４】
上述のようなカラオケシステムが設置される環境の１つとして、酒類の提供と共に従業員が接客を行うスナックバー等のナイト市場（酒場市場）がある。ナイト市場に設置されるカラオケシステムにおいては、カラオケ装置本体に備えられたタッチパネルを従業員（管理者）が専用して、利用客から伝えられた操作を代行する利用形態が採られることがある。一方、利用客は、カラオケ装置に付属のリモコン端末を使用して、自ら所望する操作を行うこともできる。
【０００５】
また、１台のカラオケ装置につき、複数台のリモコン端末が使用できるカラオケシステムでは、複数台のリモコン端末のうちの特定の１台を従業員が専用し、他のリモコン端末を利用客が使用するといった利用形態が採られることがある。
【０００６】
上述のように、複数の操作受付手段を従業員と利用客とで使い分ける利用形態においては、次のような問題がある。例えば、利用客が、ある楽曲の選曲を所望する意図を表明したと想定する。このとき、従業員は、利用客の意図を汲んでタッチパネル又は専用のリモコン端末を用いて選曲操作を代行すると考えられる。
【０００７】
しかしながら、従業員がカラオケ装置の操作状況を確認できる場所から一時的に離れている間に、利用客がリモコン端末を使用して自ら選曲操作を行ってしまうことがある。このとき、利用客が所望の選曲操作を行った後、従業員は利用客が行った操作内容に気が付かないまま、利用客が選曲済みの楽曲を重複して予約してしまうおそれがある。
【０００８】
本発明は、上記問題を解決するためになされたものである。その目的は、複数の操作受付手段を管理者と利用客とで使い分けるカラオケシステムの利用形態において、利用客が行った操作を管理者が重複して行うことを防止するための技術を提供することである。
【課題を解決するための手段】
【０００９】
本発明のカラオケ装置は、管理者からの操作指示を受付ける第１操作受付手段、及び、利用客からの操作指示を受付ける第２操作受付手段によって受付けられた操作指示に従って、操作指示に対応する処理を実行するものである。本発明のカラオケ装置は、取得手段と、履歴記録手段と、期間特定手段と、操作特定手段と、表示制御手段とを備える。
【００１０】
取得手段は、第２操作受付手段において受付けられた操作指示を表す操作履歴情報を取得する。履歴記録手段は、取得手段により取得された操作履歴情報を、当該操作指示に関連する時刻を表す時刻情報と対応付けて所定の記憶手段に記録する。期間特定手段は、第１操作受付手段において操作指示が受付けされていない期間である無操作期間を特定する。操作特定手段は、記憶手段に記憶されている操作履歴情報の中から、期間特定手段により特定された無操作期間に該当する時刻情報に対応付けられた操作履歴情報を特定する。ここでは、特に、当該操作履歴情報で表される操作指示に対応する処理が完了している操作履歴情報を特定する。表示制御手段は、操作特定手段によって特定された操作履歴情報で表される操作指示に関する情報を、所定の表示手段に表示させる。
【００１１】
本発明によれば、管理者による操作が行われていない無操作期間に行われた利用客による操作指示に関する情報を表示することができる。このようにすることで、たとえ管理者がカラオケ装置の操作状況を確認できる場所から一時的に離れていたとしても、その無操作期間中に利用客によって行われた操作の内容を、管理者が戻ってきたときに確認することができる。これにより、利用客が既に行った操作を管理者が重複して行うことを防止できる。
【００１２】
ところで、利用客による操作指示の内容を管理者に提示する際、その操作指示を誰が行ったかを、管理者が把握できるようになっているとよい。そこで、請求項２に記載のように構成することが考えられる。すなわち、取得手段は、操作履歴情報に対応する操作者である利用客を識別する第１識別情報を更に取得する。履歴記録手段は、第１識別情報を操作履歴情報と対応付けて記憶手段に記録する。表示制御手段は、操作特定手段によって特定された操作履歴情報に対応する第１識別情報を、操作履歴情報で表される操作指示に関する情報と対応付けて、表示手段に表示させる。
【００１３】
あるいは、利用客が操作する第２操作受付手段が複数用意されているような場合、どの第２操作受付手段から操作指示が行われたかを、管理者が把握できるようになっているとよい。そこで、請求項３に記載のように構成することが考えられる。すなわち、取得手段は、操作履歴情報の提供元である第２操作受付手段を識別する第２識別情報を更に取得する。履歴記録手段は、第２識別情報を操作履歴情報と対応付けて記憶手段に記録する。表示制御手段は、操作特定手段によって特定された操作履歴情報対応する第２識別情報を、操作履歴情報で表される操作指示に関する情報と対応付けて、表示手段に表示させる。
【００１４】
ところで、利用客の操作履歴情報を表示させる場所については、請求項４に記載のように、管理者が使用することを前提とした第１操作受付手段に設けられた表示手段とすることが考えられる。このようにすることで、管理者が利用客により行われた操作指示の内容を速やかに確認して、必要な対処を行うことができる。
【００１５】
なお、本発明は、請求項５に記載のように、上述のカラオケ装置を構成する各手段と、管理者からの操作指示を受付ける第１操作受付手段と、利用客からの操作指示を受付ける第２操作受付手段とを備えるカラオケシステムとして実現することもできる。このようなカラオケシステムによれば、請求項１について記載した上述の効果と同様の効果が得られる。
【図面の簡単な説明】
【００１６】
【図１】カラオケシステムの構成を表すブロック図。
【図２】操作履歴送信処理の手順を表すフローチャート。
【図３】操作履歴情報の一例を表す説明図。
【図４】操作履歴記録処理の手順を表すフローチャート。
【図５】操作履歴報知処理の手順を表すフローチャート。
【図６】操作履歴情報の表示例を表す説明図。
【発明を実施するための形態】
【００１７】
以下、本発明の実施形態を図面に基づいて説明する。なお、本発明は下記の実施形態に限定されるものではなく様々な態様にて実施することが可能である。
［カラオケシステムの構成の説明］
図１に示すように、実施形態のカラオケシステムは、カラオケ装置１と、カラオケ装置１と通信可能に対応付けられた複数台のリモコン端末２とを有する。なお、図１では、２台のリモコン端末２を記載しているが、これより多くのリモコン端末２がカラオケ装置１に通信可能に対応付けられていてもよいし、１台だけであってもよい。
【００１８】
カラオケ装置１は、カラオケ装置１全体の制御を司るメイン制御部１４、及び、メイン制御部１４に接続された各部である操作パネル１０、入力表示部１１、入力表示制御部１２、記憶部１３、映像処理部１５、音声処理部１７、通信インタフェース１８を備える。このカラオケ装置１は、ユーザにより選曲されたカラオケの楽曲を演奏する機能を有する。また、楽曲の演奏中に、背景画像上に歌詞テロップを重畳した演奏中画像をメインモニタ３０に表示させる。
【００１９】
操作パネル１０は、カラオケ装置１に対する各種操作を行うための入力装置であり、カラオケ装置１本体の外装パネルに配置されたスイッチ類により構成される。
入力表示部１１は、カラオケ装置１の本体に組込まれた表示パネル１１ａと、表示パネル１１ａの表示面上に一体に設置されたタッチパネル１１ｂとからなる表示と入力との２つの機能を兼ね備えた電子装置である。カラオケ装置１は、この入力表示部１１を用いて、演奏する楽曲を指定する選曲操作や、音量やキーを調節する等の各種操作を受付ける機能を有する。なお、本カラオケ装置１は、ナイト市場で利用されるものであり、カラオケ装置１の管理者である従業員が入力表示部１１を用いて利用客の所望する操作を行うことを想定している。
【００２０】
表示パネル１１ａは、例えば、液晶パネル（ＬＣＤ）等で構成され、入力表示制御部１２から入力される画像情報によって各種情報提示画像やＧＵＩを構成するアイコン画像等が表示される。タッチパネル１１ｂは、表示パネル１１ａの表示面の形状に合わせて薄板状に形成された透過性を有する樹脂材料により構成されており、操作者の指先等でタッチすることで、タッチされた画面位置の情報を感知して入力表示制御部１２に入力する。入力表示制御部１２では、タッチパネル１１ｂから入力された位置情報に割当てられているイベント情報がメイン制御部１４に通知される。そして、メイン制御部１４において、入力表示制御部１２から通知されたイベント情報に該当の機能が実行される。
【００２１】
入力表示制御部１２は、例えば、マイクロコンピュータ等からなる制御用デバイスであり、入力表示部１１の作動を制御する。この入力表示制御部１２は、メイン制御部１４から入力される画像情報に基づき、情報提示画像や、種々の機能選択を行うためのアイコン画像を描画する。そして、その合成画像を入力表示部１１の表示パネル１１ａに表示させると共に、表示パネル１１ａに表示されたアイコンに対するタッチ操作をタッチパネル１１ｂにおいて受付可能に設定する。
【００２２】
記憶部１３は、カラオケの楽曲データを多数収録したカラオケデータベースや、カラオケ装置１の動作を制御するプログラム、プログラムの実行時に用いられるデータ等を記憶する記憶装置である。この記憶部１３は、例えばハードディスクドライブや、不揮発性の半導体メモリ等により具現化される。
【００２３】
映像処理部１５は、画像情報を映像化する映像処理装置であり、ビデオ出力端子に接続される外付けのメインモニタ３０における表示画像を処理する。メインモニタ３０には、カラオケ装置１が実行中のサービス（カラオケ演奏や演奏待ち期間における情報提示）に対応したコンテンツ画像が表示される。音声処理部１７は、楽曲データに基づく演奏再生を行うと共に、演奏再生音とオーディオ入力端子に接続されるマイク（非図示）から入力される歌唱者の歌声とをミキシングする音声処理を施し、音声処理された音声信号をオーディオ出力端子から出力する。オーディオ出力端子から出力された音声信号は、オーディオ出力端子に接続されたアンプ（図示省略）を経由してスピーカ（非図示）から放音される。通信インタフェース１８は、カラオケ装置１を通信ネットワークに接続して、その通信ネットワークを介した通信を制御する通信装置である。カラオケ装置１は、無線ＬＡＮアクセスポイント１００を経由して、各リモコン端末２と通信する。
【００２４】
メイン制御部１４は、ＣＰＵ，ＲＯＭ，ＲＡＭ等を備え、所定のプログラムに従って動作することにより、カラオケ装置１を総合的に制御する。メイン制御部１４は、入力表示部１１やリモコン端末２を介してユーザにより選曲された楽曲を予約リストに登録し、予約リストに従って楽曲を演奏する処理を行う。このとき、映像処理部１５を通じて、演奏対象の楽曲に対応する背景画像や歌詞テロップをメインモニタ３０に表示する。なお、カラオケ装置１のその他の機能や構成については公知技術に従っているので、ここでは詳細な説明を省略する。
【００２５】
リモコン端末２は、カラオケ装置１専用の遠隔操作機器であり、操作部２１、表示部２２、記憶部２３、通信部２４、制御部２５を備える。このリモコン端末２では、カラオケ装置１へのログインや、カラオケサービスに関する情報の検索や閲覧、楽曲の演奏に関する各種操作等を行うことができるようになっている。
【００２６】
操作部２１は、ユーザからの操作指示を入力するための入力装置であり、表示部２２の表示領域に沿って設置されるタッチパネルや、キー・スイッチ等によって構成される。表示部２２は、画像を表示するための表示装置であり、例えば液晶ディスプレイ等によって構成される。記憶部２３は、各種情報を記憶する記憶装置である。記憶部２３には、リモコン端末２の動作を制御するプログラムや、プログラムの実行時に用いられるデータ等が記憶されている。
【００２７】
通信部２４は、周知の無線ＬＡＮ通信規格に則った無線通信機能を有し、無線ＬＡＮアクセスポイント１００を経由してカラオケ装置１との間で通信を行う通信装置である。なお、カラオケ装置１をリモコン端末２で操作する前提として、操作対象のカラオケ装置１とリモコン端末２とを特定の通信相手として対応付ける、いわゆる「括り付け」がなされるものとする。括り付けは、操作対象となるカラオケ装置１とリモコン端末２との間で、各自の識別情報を（例えば、ＩＰアドレスやシリアル番号）を互いに通知し、特定の通信相手として登録することで成立する。
【００２８】
制御部２５は、ＣＰＵ，ＲＯＭ，ＲＡＭ等を備え、所定のプログラムに従って動作することにより、リモコン端末２を総合的に制御する。制御部２５は、括り付けされたカラオケ装置１に対する操作指示を操作部２１を介して受付け、その受付けた操作指示を表す操作信号を通信部２４を介して当該カラオケ装置１に送信する。これに対し、カラオケ装置１は、リモコン端末２から受信した操作指示に対応する処理を実行する。また、制御部２５は、ユーザによって入力された操作指示の履歴を表す操作履歴情報を、カラオケ装置１に送信する。
【００２９】
なお、リモコン端末２は、ナイト市場で利用されるものであり、利用客が自ら選曲操作を行う際に用いられることを想定している。リモコン端末２のその他の構成や機能については公知技術に従っているので、ここでは詳細な説明を省略する。
【００３０】
カラオケ装置１及びリモコン端末２は、ユーザがログイン可能な機能を有する。カラオケ装置１は、本体の操作部やリモコン端末２を介してユーザから入力されたユーザ識別情報及びパスワードに対する所定の認証処理を行う。なお、ユーザから入力されたユーザ識別情報及びパスワードに対する認証処理は、リモコン端末２により実行されてもよい。あるいは、認証処理は、カラオケ装置１及びリモコン端末２と通信可能なサーバ（不図示）により実行されてもよい。ログインの認証が成立した場合、カラオケ装置１及びリモコン端末２は、認証されたユーザの識別情報をログインユーザとして登録する。このログインが成立することで、カラオケ装置１及びリモコン端末２は、選曲指示の受付や楽曲の演奏等の処理を、ログインユーザごとに対応付けて実行する。
【００３１】
［操作履歴送信処理の説明］
リモコン端末２の制御部２５が実行する操作履歴送信処理の手順について、図２のフローチャートを参照しながら説明する。この処理は、リモコン端末２が稼働中において所定の制御周期で繰返し実行される。
【００３２】
Ｓ１００では、制御部２５は、操作部２１においてユーザによる操作を検知したか否かを判定する。操作を検知していない場合（Ｓ１００：ＮＯ）、制御部２５はＳ１００を繰返す。一方、操作を検知した場合（Ｓ１００：ＹＥＳ）、制御部２５はＳ１０２に進む。Ｓ１０２では、制御部２５は、検知された操作の履歴を表す操作履歴情報を作成し、作成した操作履歴情報をカラオケ装置１に送信する。上記送信処理に対応するカラオケ装置１側の受信処理は、後述のＳ２００（図４参照）が該当する。
【００３３】
ここで、リモコン端末２からカラオケ装置１に送信される操作履歴情報の具体的な内容について、図３を参照しながら説明する。図３に例示されるとおり、操作履歴情報は、「時刻情報」、「リモコン識別情報」、「ユーザ識別情報」、「操作識別情報」の各情報項目に対応する情報からなる。
【００３４】
時刻情報は、操作が入力された時刻を表す情報である。リモコン識別情報は、自リモコン端末２を識別する識別情報である。具体的には、カラオケ装置１との括り付けに用いた識別情報（例えば、ＩＰアドレスやシリアル番号）を用いることが考えられる。ユーザ識別情報は、入力された操作に対応付けられたログインユーザの識別情報である。操作識別情報は、入力された操作の内容を表す情報である。例えば、情報の検索、選曲、音量やキーの調節、ログイン／ログアウト等といった具合に、選択された情報項目や機能の種類を表す情報が挙げられる。
【００３５】
［操作履歴記録処理の説明］
カラオケ装置１のメイン制御部１４が実行する操作履歴記録処理の手順について、図４のフローチャートを参照しながら説明する。この処理は、カラオケ装置１が稼働中において所定の制御周期で繰返し実行される。
【００３６】
Ｓ２００では、メイン制御部１４は、リモコン端末２から操作履歴情報（図３参照）を受信したか否かを判定する。操作履歴情報を受信していない場合（Ｓ２００：ＮＯ）、メイン制御部１４はＳ２００を繰返す。一方、操作履歴情報を受信した場合（Ｓ２００：ＹＥＳ）、メイン制御部１４はＳ２０２に進む。Ｓ２０２では、メイン制御部１４は、受信した操作履歴情報に含まれる時刻情報、リモコン識別情報、ユーザ識別情報、及び、操作識別情報を対応付けて所定の記憶先（例えば、メイン制御部１４のＲＡＭや、記憶部１３）に記録する。
【００３７】
［操作履歴報知処理の説明］
カラオケ装置１のメイン制御部１４が実行する操作履歴報知処理の手順について、図５のフローチャートを参照しながら説明する。この処理は、カラオケ装置１が稼働中において所定の制御周期で繰返し実行される。
【００３８】
Ｓ３００では、メイン制御部１４は、入力表示部１１のタッチパネル１１ｂに対する操作が所定時間以上行われていない無操作状態を検知したか否かを判定する。無操作状態を検知していない場合（Ｓ３００：ＮＯ）、メイン制御部１４はＳ３００を繰返す。一方、無操作状態を検知した場合（Ｓ３００：ＹＥＳ）、メイン制御部１４はＳ３０２に進む。
【００３９】
Ｓ３０２では、メイン制御部１４は、タッチパネル１１ｂにおいて前回に操作が検知された時点から現時点までの期間に相当する無操作期間に該当する操作履歴情報を特定する。具体的には、記憶されている操作履歴情報（図３参照）の中から、操作履歴情報に含まれる時刻情報で表される時刻が無操作期間に含まれるもの特定する。
【００４０】
次のＳ３０４では、メイン制御部１４は、Ｓ３０２で特定した操作履歴情報の中に、確定情報に該当する操作履歴情報があるか否かを判定する。ここでいう確定情報とは、操作履歴情報に対応する操作指示のイベントについて、カラオケ装置１側が実行すべき処理が完了している操作履歴情報である。例えば、リモコン端末２から選曲操作が入力された場合、カラオケ装置１において選曲された楽曲の演奏予約処理が完了したものが該当する。また、リモコン端末２から音量やキーを調節する操作が入力された場合、カラオケ装置１において音量やキーの変更が完了したものが該当する。
【００４１】
確定情報がない場合（Ｓ３０４：ＮＯ）、メイン制御部１４はＳ３０８に進む。一方、確定情報がある場合（Ｓ３０４：ＹＥＳ）、メイン制御部１４はＳ３０６に進む。Ｓ３０６では、メイン制御部１４は、Ｓ３０４において判定された確定情報に該当する操作履歴情報に関する情報提示画像を、入力表示部１１の表示パネル１１ａに表示する。ここで表示される情報提示画像には、例えば、表示対象となる操作履歴情報に含まれるリモコン識別情報や、ユーザ識別情報、操作識別情報に関連する情報が含まれる。
【００４２】
ここで、Ｓ３０６でメイン制御部１４が表示する情報提示画像の表示例について、図６を参照しながら説明する。図６に例示されるとおり、表示パネル１１ａの表示面は、複数の表示領域４１〜４５に分割されており、カラオケ装置１の管理者である従業員向けに、様々な情報が表示されている。このうち、画面右側上部にレイアウトされた表示領域４１に、操作履歴情報に関する情報提示画像が表示されている。
【００４３】
表示領域４１の情報提示画像には、例えば、ユーザＡがリモコンＡを使用してログインの操作を行った操作履歴に関する情報として、「ユーザＡ」、「リモコンＡ」「ログインしました」といったメッセージが表示されている。この情報提示画像により、誰が、どのリモコン端末２から、何の操作を行ったかを、管理者が確認できるようになっている。この他にも、情報提示画像には、カラオケの選曲をした操作履歴に関する情報や、音量やマイクエコーを調節した操作履歴に関する情報が表示されている。
【００４４】
また、表示領域４２には、ＰＩＰ（Picture In Picture）機能により、メインモニタ３０に表示されている画面の縮小画像が表示されている。表示領域４３には、スピードコントロール、キーコントロール、音量、マイクエコーといった、カラオケの演奏条件に関する設定情報が表示されている。表示領域４４には、表示中の操作履歴情報を消去する操作指示を入力する機能が割当てられたアイコンが表示されている。表示領域４５には、操作履歴情報に関する情報提示画像が表示されている表示領域４１を閉じる操作指示を入力する機能が割当てられたアイコンが表示されている。
【００４５】
図５のフローチャートの説明に戻る。次のＳ３０８では、メイン制御部１４は、タッチパネル１１ｂに対する操作を検知したか否かを判定する。タッチパネル１１ｂに対する操作を検知していない場合（Ｓ３０８：ＮＯ）、メイン制御部１４はＳ３０２に戻る。一方、タッチパネル１１ｂに対する操作を検知した場合（Ｓ３０８：ＹＥＳ）、メイン制御部１４はＳ３００に戻る。
【００４６】
［効果］
実施形態のカラオケシステムによれば、次の効果を奏する。
従業員が使用する入力表示部１１において操作が行われていない無操作期間に、利用客が使用するリモコン端末２において行われた操作履歴に関する情報を、入力表示部１１に設けられた表示パネル１１ａに表示することができる。これにより、たとえ従業員がカラオケ装置１の操作状況を確認できる場所から一時的に離れていたとしても、その無操作期間中にリモコン端末２を介して利用客によって行われた操作の内容を、従業員が戻ってきたときに確認することができる。このようにすることで、利用客が既に行った操作を従業員が重複して行うことを防止できる。
【００４７】
また、リモコン端末２による操作履歴情報を表示する際、操作を行ったログインユーザや、リモコン端末２の識別情報を併せて表示することで、誰がどのリモコン端末２を使用して操作指示を誰が行ったかを、従業員が把握できる。
【００４８】
［特許請求の範囲に記載の構成との対応］
実施形態のカラオケシステムの各構成と、特許請求の範囲に記載の構成との対応は次のとおりである。
【００４９】
カラオケ装置１の入力表示部１１が、第１操作受付手段に相当する。リモコン端末２が、第２操作受付手段に相当する。カラオケ装置１のメイン制御部１４及び通信インタフェース１８が、取得手段に相当する。図４のＳ２０２が、履歴記録手段に相当する。図５のＳ３００が期間特定手段に相当する。図５のＳ３０２及びＳ３０４が、操作特定手段に相当する。図５のＳ３０６が、表示制御手段に相当する。カラオケ装置１の表示パネル１１ａが、表示手段に相当する。
【００５０】
［変形例］
上述の実施形態では、カラオケ装置１の本体に備えられた入力表示部１１を従業員が専用し、リモコン端末２を利用客が専用する事例について説明した。これとは別に、１台のカラオケ装置１に括付けされた複数台のリモコン端末２のうち、特定の１台を従業員が専用し、残りを利用客が使用するような利用形態であってもよい。このような利用形態では、従業員が専用するリモコン端末２には、カラオケ装置１において管理者権限が付与され、他のリモコン端末２と機能的に区別される。
【００５１】
その場合、カラオケ装置１は、管理者権限のないリモコン端末２における操作履歴情報を記憶し、記憶した操作履歴情報の中から、管理者権限のあるリモコン端末２の無操作期間に該当する操作履歴情報を特定する。そして、カラオケ装置１は、特定した操作履歴情報を、管理者権限のあるリモコン端末２に送信する。管理者権限のあるリモコン端末２は、カラオケ装置１から受信した操作履歴情報に関する情報提示画像を、表示部２２に表示する。このようにすることで、従業員は、管理者権限のあるリモコン端末２に表示された情報提示画像を見ることで、利用客によって行われた操作の内容を確認できる。
【００５２】
上述の実施形態では、操作履歴情報（図３参照）の時刻情報をリモコン端末２側で付与して、時刻情報を含む操作履歴情報をリモコン端末２からカラオケ装置１に送信する事例について説明した。これとは別に、リモコン端末２が時刻情報を含まない操作履歴情報をカラオケ装置１に送信し、その操作履歴情報を受信したカラオケ装置１が、その操作指示に関する時刻を操作履歴情報と対応付けて記憶する構成であってもよい。
【符号の説明】
【００５３】
１…カラオケ装置、１０…操作パネル、１１…入力表示部、１１ａ…表示パネル、１１ｂ…タッチパネル、１２…入力表示制御部、１３…記憶部、１４…メイン制御部、１５…映像処理部、１７…音声処理部、１８…通信インタフェース、２…リモコン端末、２１…操作部、２２…表示部、２３…記憶部、２４…通信部、２５…制御部、３０…メインモニタ、１００…無線ＬＡＮアクセスポイント。
【図１】
0006277907.tif 000002
【図２】
0006277907.tif 000003
【図３】
0006277907.tif 000004
【図４】
0006277907.tif 000005
【図５】
0006277907.tif 000006
【図６】
0006277907.tif 000007